(57)【要約】【課題】本発明は緊急通知機能付き携帯端末に関し、本発明によれば緊急時に特定の連絡先に確実に通知することができる防犯機能付き携帯端末を提供することを目的としている。【解決手段】位置測定機能付きの携帯端末に非常時を通知するためのエマージェンシーボタン１を設け、該エマージェンシーボタン１は、表示器８の下段に階層構造に取り付けられ、該表示器８により押下されるような構造とし、該エマージェンシーボタン１が押下されると、特定の連絡先に自己の識別番号、自己のいる場所、時刻を自動的に通知するように構成される。【選択図】      図１
2004328281.tif 000002
【特許請求の範囲】
【請求項１】
位置測定機能付きの携帯端末に非常時を通知するためのエマージェンシーボタンを設け、
該エマージェンシーボタンは、表示器の下段に階層構造に取り付けられ、該表示器により押下されるような構造とし、
該エマージェンシーボタンが押下されると、特定の連絡先に自己の識別番号、自己のいる場所、時刻を自動的に通知するように構成されたことを特徴とする緊急通知機能付き携帯端末。
【請求項２】
表示器を保護するカバーに前記エマージェンシーボタンの保護カバーを兼ねさせることを特徴とする請求項１記載の緊急通知機能付き携帯端末。
【請求項３】
前記エマージェンシーボタンが押下されると、電源を含め、操作部のボタンが全て効かなくなる機能を具備することを特徴とする請求項１記載の緊急通知機能付き携帯端末。
【発明の詳細な説明】
【０００１】
【発明の属する技術分野】
本発明は緊急通知機能付き携帯端末に関する。
【０００２】
【従来の技術】
警察や救急センター、警備会社等へ緊急連絡するには、以下のような幾つかの手段が用意されている。
▲１▼従来の電話を使用してダイヤルし、通話して必要事項を知らせる。
▲２▼非常ボタン付きの火災報知器、病院内各所に配置されたナースコール・ボタン、お年寄りのみの世帯に地方自治体が設置するインターフォン等の、設置された非常ボタンを押す。この場合、オペレータには非常ボタンの位置が判明していることが条件である。
▲３▼移動機でも、搭載されたＧＰＳ（グローバル・ポジショニング・システム）利用による緊急連絡サービスが、移動機の会社や警備会社との提携により始まっている。この場合、当事者が通話することができなくても、オペレータが移動機に拾われる音声を判断し、ＧＰＳによる位置情報と合わせて対処方法を選択する。
【０００３】
従来の緊急通知機能付き携帯端末としては、ディジタルカメラと、ＧＰＳ等の自己位置決定手段とを備え、ディジタルカメラで撮影した画像と、前記自己位置決定手段により得られた位置データと、一定時間の音声データを予め設定してある受信装置に送信する装置が知られている（例えば特許文献１参照）。
【０００４】
【特許文献１】
特開平１１−４１６６９号公報（第４頁、図１）
【０００５】
【発明が解決しようとする課題】
緊急時に連絡をとる場合の操作性を考えると、前記▲３▼に述べた現在の移動機によるサービスは、そのダイヤル操作において問題が残されている。ここで、「緊急時」とは、本人が事故若しくは事件に遭遇し、又は事件を目撃した時をいう。通常、移動機によるダイヤルは、搭載された電話帳を利用するため、電話番号を覚える必要がない。しかしながら、この操作のためには移動機の画面を見る必要がある。電話番号を覚えていない相手に、画面を見ずにダイヤルすることは不可能であるが、電話帳機能のため、おそらく多くの利用者は緊急連絡先の電話番号を覚える努力はしないものと考えられる。
【０００６】
ワンプッシュ／短縮ダイヤルは、通常最も頻繁に利用する番号を登録する。このため、常に身に危険を感じる立場の人以外は、いつか使うかもしれない番号を登録することはしないと考えられ、たとえ登録してもどの短縮番号に登録したかを覚えておくことは極めてまれであると考えられる。
【０００７】
以上のことから、「画面を見ながらの操作」さえできない事態、例えば交通事故や犯罪についてはダイヤルし、緊急連絡先を読み出すことそのものが、相当に困難であると考えられる。
【０００８】
本発明はこのような点に鑑みてなされたものであって、緊急時に特定の連絡先に確実に通知することができる防犯機能付き携帯端末を提供することを目的としている。
【０００９】
【課題を解決するための手段】
（１）請求項１記載の発明は、以下の通りである。図１は本発明の原理ブロック図である。図において、１は緊急事態発生の時に押下されるエマージェンシーボタンである。ここで、「エマージェンシーボタン」とは、これを押すことにより、緊急時に連絡をとるよう予め決めてある連絡先に自動的に通話するためのボタンをいう。該エマージェンシーボタン１が押下されると、例えば接点信号がＣＰＵに通知されるようになっている。２は携帯端末を動作させるための電源を供給する電源部である。該電源部２は、バッテリー２ａと非常用コンデンサ２ｂより構成されている。非常用コンデンサ２ｂも、バッテリー２ａと同じ機能を持っており、回路にパワーを一時的に供給するものである。
【００１０】
３は装置全体の動作を制御するＣＰＵである。前記エマージェンシーボタン１が押下されると、接点信号がエマージェンシー割り込みとしてＣＰＵ３に入るようになっている。このエマージェンシー割り込みは、ＣＰＵ３の持つ割り込みの中で最優先の割り込みとなるように設定されている。
【００１１】
４は複数の操作キーよりなる操作部ある。該操作部は、ＣＰＵ３に対して操作信号や各種コマンドを入力する。５はメモリダイヤルを格納するメモリダイヤル格納部である。該メモリダイヤル格納部５には、複数の連絡先電話番号が記憶される。５ａは緊急時の連絡先電話番号を記憶する緊急連絡先電話番号記憶部である。
【００１２】
６は該携帯端末がいる場所情報を取得する位置測定部、７は連絡先に発信し、或いは相手方からかかってきた電話を受信する通信／通話制御部である。位置測定部６としては、ＧＰＳが好適に用いられる。８は各種の情報を表示する表示器である。該表示器８としては、例えば液晶表示器が好適に用いられる。前記エマージェンシーボタン１は、該表示器８の下段に階層構造に取り付けられている。
【００１３】
このように構成された装置において、エマージェンシーボタン１が押下されると、ＣＰＵ３に対してエマージェンシー割り込みが入り、該ＣＰＵ３は緊急連絡先電話番号記憶部５ａに記憶されている緊急連絡先電話番号を読み出して通信／通話制御部７から特定の連絡先へ、自己の識別番号、自己のいる場所、時刻を通知する。自己のいる場所は、位置測定部６により測定され、時刻情報は、装置が常時持っているものである。ここで、「特定の連絡先」とは、警察や契約している警備会社等をいう。
【００１４】
このように、本発明によれば、緊急時に特定の連絡先に確実に通知することができる防犯機能付き携帯端末を提供することができる。
（２）請求項２記載の発明は、液晶表示器を保護するカバーに前記エマージェンシーボタンの保護カバーを兼ねさせることを特徴とする。
【００１５】
このように構成すれば、液晶表示器の保護カバーをエマージェンシーボタンの保護カバーとして兼ねさせることができ、構成が簡易化される。
（３）請求項３記載の発明は、前記エマージェンシーボタンが押下されると、電源を含め、操作部のボタンが全て効かなくなる機能を具備することを特徴とする。
【００１６】
このように構成すれば、電源のオフや、装置機能のキャンセルを防止してエマージェンシーボタンによる通知が確実に緊急連絡先に届くようにすることができる。
【００１７】
また、この発明において、前記保護カバーの強度とエマージェンシーボタンの強度とを調整するための調整手段を設けたことを特徴とする。
【００１８】
このように構成すれば、緊急の場合に最適な押圧力でエマージェンシーボタンを確実に押下することができる。
【００１９】
また、この発明において、携帯端末に電源が入っていなかった場合において、前記エマージェンシーボタンが押下されると、電源が入るように構成したことを特徴とする。
【００２０】
このように構成すれば、携帯端末に電源が入っていなかった場合にも、電源をオンにして緊急連絡先に緊急情報を通知することができる。
【００２１】
【発明の実施の形態】
以下、図面を参照して本発明の実施の形態例を詳細に説明する。
【００２２】
図２は本発明の携帯電話を分離状態に示す斜視図である。ここでは、携帯端末として携帯電話が用いられた場合を示す。図１と同一のものは、同一の符号を付して示す。図において、１０は表ケース、８は該表ケース１０の下に配置される液晶表示器、１は該液晶表示器８の下に配置されるエマージェンシーボタン、１２は該エマージェンシーボタン１の下に配置されるプリント回路、１３は該プリント回路１２の下に配置される裏ケースである。
【００２３】
裏ケース１３の上にプリント回路１２を載置し、該プリント回路１２の上にエマージェンシーボタン１を載置し、該エマージェンシーボタン１の上に液晶表示器８を載置し、該液晶表示器８の上に表ケース１０を載置し、固定器具（例えばネジ）で固定すれば、携帯電話ができあがる。
【００２４】
このように、液晶表示画面をエマージェンシーボタンとしても用いるようにすることで、以下のような利点を生じる。
▲１▼手探りで簡単に探し出すことができる。
【００２５】
他のボタンと形状、質感が全く異なり、押し間違うことを防ぐことができる。また、大きなパーツなので、手探りでも押しやすい。
▲２▼これ以上ボタンを増やさず（ヒューマンインタフェースを複雑化せず）、エマージェンシー専用ボタンを設けることができる。このため、複雑な呼び出し操作を必要とせず、Ｏｎｅプッシュ、Ｏｎｅコールが実現できる。
▲３▼液晶にタッチする操作はＰＤＡ（Ｐｅｒｓｏｎａｌ  Ｄｉｇｉｔａｌ  Ａｓｓｉｓｔａｎｔ：個人向け携帯型情報通信機器）等にはあるが、携帯電話ではいまだに存在しない。このため、液晶がボタンを兼ねても、今までの操作方法になんら矛盾や変更は生じない。
▲４▼単独機能のボタンとなるので、電源オフの際はオンにする機能も持たせることができる。これにより、電源が切れても機能することができる。
【００２６】
図３は本発明のエマージェンシーボタン部の構成断面を示す図である。図１と同一のものは、同一の符号を付して示す。図において、２１は液晶カバー、２２は該液晶カバー２１を支持する筐体、８は液晶カバー２１の下に配置された液晶表示器、２３は液晶カバー２１と液晶表示器８との間に設けられたあそび（すきま）空間である。液晶カバー２１は力を加えると、たわむ可撓性の材質が用いられる。例えば、アクリル系樹脂が用いられる。
【００２７】
１は液晶表示器８の下に配置されたエマージェンシーボタンである。２４はエマージェンシーボタン１の下に配置されるベース部材である。エマージェンシーボタン１としては例えばカード型電卓のボタン等に用いられるシート型スイッチが用いられる。ベース部材２４としては、図２の１２に示すプリント回路が用いられる。このように構成された構成の動作を説明すれば、以下の通りである。
【００２８】
通常の状態では、液晶カバー２１と液晶表示器８との間にあそび空間２３が設けられているので、液晶カバー２１を触る程度では、エマージェンシーボタン１には力は伝わらない。液晶カバー２１は少し位の力を加えた程度では、撓まないようになっている。
【００２９】
図３をみると分かるように、液晶表示器８を保護する液晶カバー２１をエマージェンシーボタン１の保護部材としても用いている。従って、液晶表示器８の保護カバーをエマージェンシーボタン１の保護カバーとして兼ねさせることができ、構成が簡易化される。
【００３０】
ここで、緊急事態が発生して操作者が液晶カバー２１を強く押下したものとする。この力により、液晶カバー２１は図４に示すように撓み、液晶表示器８に接触して該液晶表示器８を押下する。この結果、エマージェンシーボタン１はベース部材２４に押し当てられる。これにより、エマージェンシーボタン１は導通し、ＣＰＵ３に接点信号が通知されることになる。
【００３１】
図５は接点信号の説明図である。図において、１がエマージェンシーボタンである。ＳＷはその内部に設けられた接点スイッチである。接点スイッチＳＷの一端はコモン（０電位）に接続され、多端は抵抗Ｒを介して電源電圧Ｖｃｃに接続されている。ここで、エマージェンシーボタン１が押下されると、接点スイッチＳＷの接点は閉じて該接点からは論理“０”レベルの信号がＣＰＵ３へ割り込み信号として通知され、エマージェンシーボタン１が押下されたことをＣＰＵ３が検知することになる。なお、エマージェンシーボタン１が押下されていない場合には、接点からは論理“１”レベルの信号がＣＰＵ３に通知されるが、ＣＰＵ３が負論理（ローアクチィブ）で動作するものであれば、論理“１”状態では割り込み信号とはならない。
【００３２】
本発明によれば、液晶画面の保護カバーの強度と、エマージェンシーボタンの感度を調整することでボタンの誤操作を防ぐことができる。感度調整の手段としては、以下のような場合が考えられる。
▲１▼ソフトウェア的に信号を間引くことで、感度を悪化させる。この方法は、ノートパソコンのフラットポイントが敏感すぎ、誤動作する場合に行なうことがある。
▲２▼感圧素子は圧力による歪抵抗の変化を検出するものなので、スイッチ部のファームウェアで、歪抵抗値のオン／オフのしきい値を記憶し、可変とすることでハードウェア／ソフトウェアの切り替えが可能となる。
▲３▼液晶カバーの強度の異なるものを複数種類用意し、ユーザが選択できるようにする。カバーの材質を変えることで、厚みを変更せずに強度を変えることが可能となる。また、カバーが破損するまで押下することでスイッチの入る硬質なものと、撓むことでスイッチの入る弾性のあるものを使用することもできる。硬質な材料としては、例えばポリカーボネイト、少し弾性のある材質としては例えばアクリル樹脂がある。
【００３３】
▲３▼の方法を用いる場合、液晶カバー２１の撓み強度の違うものを２〜３種類用意しておき、液晶カバー２１を交換することで、ボタン感度の強弱の選択が可能となる。また、撓み強度については、液晶カバーの材質若しくは厚みを変化させることで調整することができる。
【００３４】
これにより、緊急の場合に最適な押圧力でエマージェンシーボタンを確実に押下することができる。
【００３５】
図６は本発明の動作の一例を示すフローチャートである。先ず、非常時に操作者が液晶カバー２１を強く押下する（Ｓ１）。この押下により、エマージェンシーボタン１の接点がオンになる。ＣＰＵ３（図１参照）は、この接点信号オンを検知すると、電源部２（図１参照）の電源が入っているかどうかを判定する（Ｓ２）。この動作が可能となるためには、通常状態において、ＣＰＵ３は少なくとも動作状態にある必要がある。このため、ＣＰＵ３及びその周辺回路には、常時電源を供給しておき、その他の回路は電源投入スイッチを介して電源に接続されているものとする。
【００３６】
ステップ２において、電源が入っていないことが認識されると、ＣＰＵ３は前記電源投入スイッチをオンにして、回路にパワーを供給する（Ｓ３）。ここで、バッテリー不足やバッテリー未接続の場合には、非常用コンデンサ（図１の２ｂ参照）の蓄電力を使用することができる。このようにして、携帯電話に電源が入っていなかった場合にも、電源をオンにして緊急連絡先に緊急情報を通知することができる。
【００３７】
このようにして回路に電源が供給された状態で、ＣＰＵ３は全てのボタン入力を無効化する（Ｓ４）。このようにすれば、不用意に電源がオフにされたり、装置機能がキャンセルされたりして回路が動作しなくなることを防止して、エマージェンシーボタンによる通知が確実に緊急連絡先に届くようにすることができる。例えば、犯罪等に巻き込まれた場合、加害者に電源を切られるおそれがある。また、手探り、若しくはパニック状態にある時、間違ってすぐに電源を切ってしまうことがあり、この場合、十分な情報を伝達できないことがある。本発明は、このような場合に効果がある。
【００３８】
次に、ＣＰＵ３はＧＰＳ６を起動して位置情報の取得を行なう（Ｓ５）。次に、ＣＰＵ３は緊急連絡先電話番号記憶部５ａから緊急連絡先電話番号を読み出し、緊急連絡先の取得を行なう（Ｓ６）。この緊急連絡先としては、例えば警察用の１１０番や、警備会社の緊急連絡先等の電話番号が考えられる。次に、ＣＰＵ３は自己の識別番号（例えば自己の電話番号）と、測定位置情報と、時刻情報と、緊急連絡用の音声又は文書（例えば「痴漢です」というような音声データ又は文書データ）を記憶部から読み出し、データ転送フォーマットに変換する。このようにしてデータ転送フォーマットに変換された送信データを緊急連絡先へ送信する（Ｓ７）。そして、緊急通話を開始する（Ｓ８）。ここで、緊急通話とは、非常事態が発生した旨の通話をいう。
【００３９】
緊急情報が送信されると、緊急連絡先との間で通話可能状態になり、緊急連絡先では事故発生現場の周囲の音声情報を取得して、何が起きているかの判断を行なうことができる。緊急連絡先では、かかってきた通話内容の表示部の表示から、どの場所で緊急事態が発生しているかを判断し、それに対して、対処することができる。
【００４０】
この場合において、緊急事態を知らせる電話の鳴動音を専用の音に設定して、そのアラーム音と共に、緊急事態発生先からの前記場所情報等を表示部で読み取るようにすることもできる。このようにすれば、鳴動音により緊急事態が発生したことをすばやく認識することができ、表示部の表示を見て、どこで発生しているかを認識することができる。
【００４１】
本発明によれば、エマージェンシーボタンの非常時における操作性を大きく向上させることができる。それは、携帯電話が機器本体の小型化を実現しつつディスプレイを大型化させているため、本発明によれば、最も大きなボタンとして利用することができ、特に緊急の事態に陥った時に容易な操作を実現することができる。また、実装のしやすさについては、以下の点で優れている。
▲１▼使用される機会がごく稀な機能のため、新規ボタンを追加し、デザインや誤操作防止のためレイアウトを工夫するといった努力が必要ない。携帯電話という、ごく省スペースかつヘビーデューティなツールでは、使用されないボタンというものは不合理そのものである。
▲２▼従来のボタンを利用し、特殊な操作（例えば５秒間押し続ける等）で意味を切り分けることは、緊急時における操作性を非常に悪くするし、電源オフ時にオンにする機能を利用すると、回路も複雑化する。単独ボタンならば、これらを一挙に解決することができる。
▲３▼従来の携帯電話は、液晶表示部に手を触れずに操作するよう、ボタン配置を設計しているので、押し間違いが起こりにくい。
▲４▼特に折り畳み型（セパレート）携帯では、液晶パーツが充分保護されているため、液晶パーツをボタンとし、カバーに弾性を持たせて、破損することなく押せるようにすることも可能である。一体型（ストレート）携帯電話では、カバンの中等での液晶パーツへの圧力を考え、ある程度強いカバーが必要である。誤操作を防ぐ点からも、簡単に押せるボタンは望ましくないため、強力な力で変形・破損するタイプの方が望ましい。
【００４２】
上述の実施の形態例では、緊急連絡先に電話をかける場合を例にとって説明したが、本発明はこれに限るものではなく、例えばインターネットを利用したメール送信であってもよい。
【００４３】
また、上述の実施の形態例では、携帯端末として携帯電話を用いた場合を例にとった。しかしながら、本発明はこれに限るものではなく、ＰＨＳ等にも使用可能である。
【００４４】
（付記１）  位置測定機能付きの携帯端末に非常時を通知するためのエマージェンシーボタンを設け、
該エマージェンシーボタンは、表示器の下段に階層構造に取り付けられ、該表示器により押下されるような構造とし、
該エマージェンシーボタンが押下されると、特定の連絡先に自己の識別番号、自己のいる場所、時刻を自動的に通知するように構成されたことを特徴とする緊急通知機能付き携帯端末。
【００４５】
（付記２）  前記表示器を保護するカバーに前記エマージェンシーボタンの保護カバーを兼ねさせることを特徴とする付記１記載の緊急通知機能付き携帯端末。
【００４６】
（付記３）  前記エマージェンシーボタンが押下されると、電源を含め、操作部のボタンが全て効かなくなる機能を具備することを特徴とする付記１記載の緊急通知機能付き携帯端末。
【００４７】
（付記４）  前記保護カバーの強度とエマージェンシーボタンの強度とを調整するための調整手段を設けたことを特徴とする付記２記載の緊急通知機能付き携帯端末。
【００４８】
（付記５）  携帯端末に電源が入っていなかった場合において、前記エマージェンシーボタンが押下されると、電源が入るように構成したことを特徴とする付記１記載の緊急通知機能付き携帯端末。
【００４９】
【発明の効果】
以上説明したように、本発明によれば、以下の効果が得られる。
（１）請求項１記載の発明によれば、エマージェンシーボタンが押下されると、ＣＰＵに対してエマージェンシー割り込みが入り、該ＣＰＵは緊急連絡先電話番号記憶部に記憶されている緊急連絡先電話番号を読み出して通信／通話制御部から特定の連絡先へ、自己の識別番号、自己のいる場所、時刻を通知するようにしているので、緊急時に特定の連絡先に確実に通知することができる防犯機能付き携帯端末を提供することができる。
（２）請求項２記載の発明によれば、液晶表示器の保護カバーをエマージェンシーボタンの保護カバーとして兼ねさせることができ、構成が簡易化される。
（３）請求項３記載の発明によれば、電源のオフや、装置機能のキャンセルを防止してエマージェンシーボタンによる通知が確実に緊急連絡先に届くようにすることができる。
【００５０】
このように、本発明によれば緊急時に特定の連絡先に確実に通知することができる防犯機能付き携帯端末を提供することができる。
【図面の簡単な説明】
【図１】本発明の原理ブロック図である。
【図２】本発明の携帯電話を分離状態に示す斜視図である。
【図３】本発明のエマージェンシーボタン部の構成断面を示す図である。
【図４】エマージェンシーボタンが押下された時の様子を示す図である。
【図５】接点信号の説明図である。
【図６】本発明の動作の一例を示すフローチャートである。
【符号の説明】
１  エマージェンシーボタン
２  電源部
２ａ  バッテリー
２ｂ  非常用コンデンサ
３  ＣＰＵ
４  操作部
５  メモリダイヤル格納部
５ａ  緊急連絡先電話番号記憶部
６  位置測定部
７  通信／通話制御部
８  表示器
【図１】
2004328281.tif 000003
【図２】
2004328281.tif 000004
【図３】
2004328281.tif 000005
【図４】
2004328281.tif 000006
【図５】
2004328281.tif 000007
【図６】
2004328281.tif 000008